(57)【要約】      （修正有）【課題】展示物の収容及び交換作業を簡単迅速に行なうことができる額縁を提供する。【解決手段】枠部材で四角形状に形成したフレーム体１０を有する額縁本体１と、額縁本体を上下方向に移動可能に取付ける取付ユニット３とを備える。額縁本体は左右の枠部材１０ａ、１０ｂに上下方向に向けて対設したガイド用係合溝１３と、両ガイド用係合溝から延設したロック用係合溝１４とを備える。取付ユニットは取付用板体と、取付用板体の両側部に対設したガイド用棒状体３１とを備える。両棒状体は対向する内壁面に展示物の両側縁部を係合して展示物を出し入れ可能に収容する上端開口の展示物収容保持用係合溝と、外壁面に突設したロック兼用のガイドピン３４とを備え、各ガイドピンに両ガイド用係合溝を係合させることにより額縁本体を取付ユニットに対して上下方向に移動可能に形成し、各ガイドピンに各ロック用係合溝を係合させることにより、額縁本体をロックするように構成する。【選択図】図７
0003221895.tif 000002
【実用新案登録請求の範囲】
【請求項１】
左右及び上下の枠部材で四角形状に形成したフレーム体と、前記フレーム体内の前面側に配設した透明板よりなる前面板とを有する額縁本体と、
展示物を出し入れ可能に収容する展示物収容部を有し、前記フレーム体の裏面側に設けられ、前記額縁本体を上下方向に移動可能に取付ける取付ユニットとを備え、
前記額縁本体は、
前記フレーム体の前記左右の両枠部材の対向する内壁面に上下方向へ向けて相対して設けた所望の幅及び長さのガイド用係合溝と、前記両ガイド用係合溝の所望の部位に位置させて、前記両ガイド用係合溝から前記フレーム体の前面側の方向へ延長させて相対して設けた所望数のロック用係合溝と、前記フレーム体の裏面部側の上端部を切欠して形成され、前記額縁本体を前記取付ユニットに対して上下方向への移動を許容するための開放部とを備え、
前記取付ユニットは、
前記フレーム体の裏面側から前記フレーム体内に出し入れ可能な大きさの板材で形成した取付用板体と、前記フレーム体の前記左右の両枠部材の内壁面間の間隔と対応する間隔で前記取付用板体の内側面の両側縁に沿わせて上下方向に向けて平行に対設され、前記フレーム体の前記上下の両枠部材の内壁面間の間隔の寸法と略同一長さの角部材で形成したガイド用棒状体とを備え、
前記両ガイド用棒状体は、
前記両ガイド用棒状体の対向する内壁面に、上下方向に向けて相対して形成し、前記展示物の両側縁部を係合して前記展示物を収容保持する上端を出入り口部として開口した展示物収容保持用係合溝と、前記両ガイド用棒状体の外壁面に突出させて設け、前記両ガイド用係合溝及びロック用係合溝に係合可能に形成され、前記ロック用係合溝の数と対応する本数のロック兼用のガイドピンとを備え、
前記各ガイドピンに前記両ガイド用係合溝を係合させることにより、前記額縁本体を前記取付ユニットに対して上下方向へ移動可能に形成し、前記各ガイドピンに前記各ロック用係合溝を係合させることにより、前記額縁本体の前記上下方向への移動をロックして前記額縁本体を前記各ガイドピンにより前記取付ユニットに支持させるように構成した、
ことを特徴とする額縁。
【請求項２】
前記取付ユニットの前記取付用板体を壁その他の所望の部位に固定して取付けるように構成した請求項１に記載の額縁。
【請求項３】
前記取付ユニットの前記取付用板体を壁その他の所望の部位に着脱可能に取付けるように構成した請求項１に記載の額縁。
【請求項４】
前記展示物がレコード盤入りジャケット、絵画、写真、賞状その他の外形が略四角形状に形成され、かつ、両側縁部が前記展示物収容保持用係合溝に係合可能に形成された展示物である請求項１に記載の額縁。
【請求項５】
前記取付ユニットは、前記両展示物収容保持用係合溝の下端部に設け、前記保持用係合溝に係合して収容する前記展示物の下端を支持する支持部を備えている請求項１に記載の額縁。
【考案の詳細な説明】
【技術分野】
【０００１】
本考案はレコード盤入りジャケット、絵画、写真、賞状等の展示物を展示するために使用する額縁に関する。
【背景技術】
【０００２】
従来より、例えば絵画や写真或いは賞状等を展示する際には、額縁が使用されている。従来の額縁として、枠部材で四角形状に形成したフレーム体内の前面側に透明板よりなる前面板を配設して形成した額縁本体と、前面板の裏面を覆う裏板と、フレーム体の裏面に回動自在に設けた所望数の裏板係止具とを備え、前面板と裏板との間に展示物を挟み込んで支持し、展示するように構成したものが一般に知られている（例えば、特許文献１参照）。
【０００３】
特許文献１に記載の額縁を使用して展示物を展示する際には、フレーム体の裏面の各裏板係止具を回動して裏板をフレーム体から取外し、前面板の裏面に絵画や写真その他の展示物を配置した後、裏板を再び嵌合して展示物を前面板と裏板とで挟み、前記各係止具を回動して裏板を前記係止具で係止させて展示物を収容して支持する。そして、上記作業により展示物を収容した額縁を壁等に取付けて展示するように構成されている。
【０００４】
ところで、近時においては、レコード盤入りジャケット（ＬＰレコード盤を収容したジャケット）を展示物として展示することが一般に普及している。また、前記ジャケット専用の額縁の開発も試みられている。
【先行技術文献】
【特許文献】
【０００５】
【特許文献１】実用新案登録第３２１８２４９号公報
【考案の概要】
【考案が解決しようとする課題】
【０００６】
しかしながら、上述した特許文献１に記載のように構成した従来の額縁では、展示物を額縁に配置収容して支持する場合や額縁に収容して支持する展示物を交換する場合においては、額縁を壁等から取り外してから上記作業を行う必要があるため、作業が煩雑で手間が掛る問題を有している。また、上述したレコード盤入りジャケット用の額縁についても上記問題を解消したものは未だ提案されていない。
【０００７】
本考案は上記のような実情に鑑みてなされたもので、額縁を壁等に取付けた状態のままで、展示物の収容及び交換作業を簡単かつ迅速良好に行なって展示することができる額縁を提供することを目的とするものである。
【課題を解決するための手段】
【０００８】
上記目的を達成するため、本考案（第１の考案）は、左右及び上下の枠部材で四角形状に形成したフレーム体と、前記フレーム体内の前面側に配設した透明板よりなる前面板とを有する額縁本体と、
展示物を出し入れ可能に収容する展示物収容部を有し、前記フレーム体の裏面側に設けられ、前記額縁本体を上下方向に移動可能に取付ける取付ユニットとを備え、
前記額縁本体は、
前記フレーム体の前記左右の両枠部材の対向する内壁面に上下方向へ向けて相対して設けた所望の幅及び長さのガイド用係合溝と、前記両ガイド用係合溝の所望の部位に位置させて、前記両ガイド用係合溝から前記フレーム体の前面側の方向へ延長させて相対して設けた所望数のロック用係合溝と、前記フレーム体の裏面部側の上端部を切欠して形成され、前記額縁本体を前記取付ユニットに対して上下方向への移動を許容するための開放部とを備え、
前記取付ユニットは、
前記フレーム体の裏面側から前記フレーム体内に出し入れ可能な大きさの板材で形成した取付用板体と、前記フレーム体の前記左右の両枠部材の内壁面間の間隔と対応する間隔で前記取付用板体の内側面の両側縁に沿わせて上下方向に向けて平行に対設され、前記フレーム体の前記上下の両枠部材の内壁面間の間隔の寸法と略同一長さの角部材で形成したガイド用棒状体とを備え、
前記両ガイド用棒状体は、
前記両ガイド用棒状体の対向する内壁面に、上下方向に向けて相対して形成し、前記展示物の両側縁部を係合して前記展示物を収容保持する上端を出入り口部として開口した展示物収容保持用係合溝と、前記両ガイド用棒状体の外壁面に突出させて設け、前記両ガイド用係合溝及びロック用係合溝に係合可能に形成され、前記ロック用係合溝の数と対応する本数のロック兼用のガイドピンとを備え、
前記各ガイドピンに前記両ガイド用係合溝を係合させることにより、前記額縁本体を前記取付ユニットに対して上下方向へ移動可能に形成し、前記各ガイドピンに前記各ロック用係合溝を係合させることにより、前記額縁本体の前記上下方向への移動をロックして前記額縁本体を前記各ガイドピンにより前記取付ユニットに支持させるように構成したことを特徴とする。
【０００９】
本考案（第１の考案）は上記のように、各ロック兼用のガイドピンにガイド用係合溝を係合させることにより額縁本体を取付ユニットに対して上下方向に移動可能に形成し、前記各ロック兼用のガイドピンに各ロック用係合溝を係合させることにより、前記額縁本体の前記上下方向への移動をロックして録して、額縁本体を各ロック兼用のガイドピンにより取付ユニットに支持させるように構成されている。また、取付ユニットの両ガイド用棒状体の対向する内壁面には、展示物の両側縁部を係合して展示物を収容支持する上端を出入口部として開口した展示物収容保持用係合溝が形成されている。
【００１０】
そこで、額縁本体を手で操作して各ロック兼用のガイドピンに両ガイド用係合溝を係合し、額縁本体を取付ユニットに対して下方向へ移動し、目的の展示物の両側縁部を展示物収容保持用係合溝の上端から前記保持用係合溝内に係合する。これにより、前記展示物は前記保持用係合溝に収容されて保持される。この状態で額縁本体を取付ユニットに対して上方へ移動し、前記各ガイドピンに各ロック用係合溝を係合することにより、額縁本体はロックされ、各ガイドピンにより取付ユニットに支持されるので、展示物を収容して展示することができる。
【００１１】
上記により、額縁を壁等に取付けた状態のままで、展示物の収容及び交換作業を迅速に行なって展示することが可能になる。
【００１２】
なお、上記の場合において、両ガイド用係合溝及び各ロック用係合溝の各ロック兼用のガイドピンへの係合は次のように操作することにより行なう。即ち、各ロック兼用のガイドピンに額縁本体の各ロック用係合溝を係合（ロック）した状態において、額縁本体を取付ユニットに対して手前（前方）へ引き寄せることにより、各ロック兼用のガイドピンとロック用係合溝との係合（ロック）は解除されて前記各ガイドピンへ両ガイド用係合溝が係合される。また、上記状態で額縁本体を取付ユニットへ押動（押し付ける）することにより、前記各ガイドピンへ各ロック用係合溝が係合する。上記作業は額縁を壁等に取付けた状態のままで簡単に行なうことができる。
【００１３】
本考案の他の１つの考案（第２の考案）、は第１の考案の額縁において、前記取付ユニットの前記取付用板体を壁その他の所望の部位に固定して取付けるように構成したことを特徴とする。
【００１４】
本考案のさらに他の１つの考案（第３の考案）は第１の考案の額縁において、前記取付ユニットの前記取付用板体を壁その他の所望の部位に着脱可能に取付けるように構成したことを特徴とする。
【００１５】
本考案のさらに他の１つの考案（第４の考案）は第１の考案の額縁において、前記展示物がレコード盤入りジャケット、絵画、写真、賞状その他の外形が略四角形状に形成され、かつ、両側縁部が前記展示物収容保持用係合溝に係合可能に形成された展示物であることを特徴とする。
【００１６】
本考案のさらに他の１つの考案（第５の考案）は第１の考案の額縁において、前記取付ユニットは、前記両展示物収容保持用係合溝の下端部に設け、前記保持用係合溝に係合して収容する前記展示物の下端を支持する支持部を備えていることを特徴とする。
【考案の効果】
【００１７】
本考案によれば、額縁を壁等に取付けた状態のままで、展示物の収容及び交換作業を簡単かつ迅速に行なって展示することができる額縁を提供することができる。
【図面の簡単な説明】
【００１８】
【図１】本考案の実施形態の額縁の構成を概略的に示す正面図である。
【図２】同じく平面図である。
【図３】同じく背面図である。
【図４】同じく底面図である。
【図５】前記額縁の構成を概略的に示す断面図であって、同図（ａ）は図１のＡ−Ａ線説明断面図、同図（ｂ）は同図（ａ）の上半部を拡大して示す説明断面図、同図（ｃ）は同図（ａ）の下半部を拡大して示す説明断面図である。
【図６】額縁本体を取付ユニットに対して上下方向へ移動可能にする状態を示す説明図であって、同図（ａ）はロック兼用のガイドピンに対するロック用係合溝の係合を解除した状態を示す説明図、同図（ｂ）は額縁本体を取付ユニットに対して上下方向へ移動した状態を示す説明図である。
【図７】図３のＢ−Ｂ線で切断し、その構成を概略的に示す説明断面図である。
【図８】図７に示す状態において、ロック兼用のガイドピンに対するロック用係合溝の係合を解除し、額縁本体を取付ユニットに対して上下方向へ移動可能にする状態を概略的に示す説明図である。
【図９】取付ユニットの構成を概略的に示す図であって、同図（ａ）は説明背面図、同図（ｂ）は説明側面図、同図（ｃ）は説明平面図である。
【図１０】額縁本体のフレーム体を構成する左右の枠部材のうち、一方の枠部材（左側の枠部材）の構成（右側の枠部材は左側と対称）を概略的に示す図であって、同図（ａ）は内側から見た説明正面図、同図（ｂ）は説明側面図、同図（ｃ）は同図（ａ）のＣ−Ｃ線説明断面図、同図（ｄ）は同図（ａ）のＤ−Ｄ線説明断面図である。
【図１１】額縁本体を取付ユニットに対して下方向へ移動した状態の構成を概略的に示す図であって、同図（ａ）は説明正面図、同図（ｂ）は説明側面図である。
【図１２】展示物の一例を示す図であって、同図（ａ）はレコード盤（LPレコード）をジャケット内に収容して形成した展示物を概略的に示す説明正面図、同図（ｂ）はレコード盤を示す説明斜視図、同図（ｃ）はジャケットを示す説明斜視図である。
【考案を実施するための形態】
【００１９】
以下、図面を参照して本考案の額縁の実施形態の一例について説明する。
【００２０】
図１ないし図１２は、本考案の一実施形態の額縁を示す。
【００２１】
図１ないし図１２に示すように、本実施形態の額縁は、額縁本体１と、額縁本体１を上下方向に移動可能に取付ける取付ユニット３とを備えている。
【００２２】
額縁本体１は、左右及び上下の枠部材１０ａ，１０ｂ，１０ｃ，１０ｄで四角形状に形成したフレーム体１０と、フレーム体１０内の前面側に配設した透明板よりなる前面板２とを備えている。
【００２３】
フレーム体１０の大きさは特に限定するものではないが、例えば横：約３５０ミリ〜約４５０ミリ、縦（上下）：約３５０ミリ〜約４５０ミリ程度の四角形状に形成できる。本実施形態のフレーム体１０は横：約４０３ミリ、縦（上下）：約４０３ミリの略正方形状に形成されている。但し、上記範囲内に限定されるものではない。
【００２４】
フレーム体１０の構成素材は特に限定されないが、例えば木製や合成樹脂製、或いはアルミニウム製などを採用できる。本実施形態のフレーム体１０は左右及び上下の木製の枠部材１０ａ…１０ｄを採用し、各部材同士の角部を接着して四角形状に形成されている。この場合において、フレーム体１０は例えば合成樹脂材等で一体成形して形成することもできる。
【００２５】
本実施形態のフレーム体１０を構成する各枠部材のうち、左右及び下部の枠部材１０ａ，１０ｂ，１０ｄは、幅：約４５ミリ、肉厚：約２５ミリの木製角材を採用し、上部の枠部材１０ｃは、幅：約２５ミリ、肉厚：約２５ミリの木製角材を採用している。上部の枠部材１０ｃの幅の寸法を約２５ミリに設定した理由は、これにより、額縁本体１（フレーム体１０）の上端部に後述する額縁本体の取付ユニットに対して上下方向への移動を許容する開放部１１を形成すように構成するためである。上記のように上部の枠部材１０ｃの幅の寸法を上記のように設定することにより、フレーム体の上部の枠部材は切欠され、これにより、フレーム体の上端部に前記開放部１１が形成される。
【００２６】
透明板よりなる前面板２は、透明なガラス製、ＰＥＴ樹脂製やアクリル樹脂製その他の合成樹脂製などを採用できる。本実施形態ではフレーム体１０の内壁面で形成される四角形の大きさより所望寸法だけ大きいサイズの四角形に形成した透明ガラス製の前面板２を採用している。本実施形態の前面板２は、フレーム体の前面側近くに位置させて各枠部材１０ａ…１０ｄに形成した係合溝１２（符号１２は図１０参照）に前面板２の各端部を係合固定して配設されている。
【００２７】
本実施形態の額縁本体１は、前面板２の前面側に位置させて、フレーム体１０の内壁面で形成された四角形と適合する大きさの四角形に形成した飾装用の内側フレーム体２０が接着その他の手段で固定して設けてある。前記内側フレーム体２０は所望の幅及び肉薄の木製や合成樹脂製の板材で形成されている。本実施形態では木製の板材を採用している。
【００２８】
前記額縁本体１は、フレーム体１０の左右の両枠部材１０ａ、１０ｂの対向する内壁面に、図１０等に詳細に示すように、上下方向に向けて相対して設けた所望の幅及び長さのガイド用係合溝１３、１３と、両ガイド用係合溝１３の所望の部位に位置させて、両ガイド用係合溝１３からフレーム体１０の前面側の方向へ延長させて相対して設けた所望数のロック用係合溝１４、１４とを備えている。
【００２９】
本実施形態では、図１０に示すように、ロック用係合溝１４を２個づつ設けた例が開示されている。前記ロック用係合溝１４のうち、一方の係合溝１４はガイド用係合溝１３の下端部に設けられ、他方の係合溝１４は前記一方の係合溝１４の上方側に所望の間隔を存した部位に位置させて設けてある。前記両ロック用係合溝１４はガイド用係合溝１３に対して略９０度ないし上方側へ所望の角度を付与して設けることが好ましい。
【００３０】
図１０では左右の枠部材１０ａ、１０ｂのうち、一方の枠部材１０ａのみを開示したが、他方の枠部材１０ｂのガイド用係合溝１３及びロック用係合溝１４は前記一方の枠部材１０ａと対称的に設けてある。なお、ロック用係合溝１４は２個以上設けることも可能である。
【００３１】
本実施形態の額縁本体１は上記構成を具備し、前記ガイド用係合溝の上端（上縁）及び下端（下縁）により規制された範囲内で取付ユニット３に上下方向に移動可能に取付けるように構成されている。この点に関しては追ってさらに具体的に説明する。
【００３２】
前記取付ユニット３は、フレーム体１０の裏面側からフレーム体１０内に出し入れ可能な大きさの木製や合成樹脂製等の板材で形成した取付用板体３０と、フレーム体の左右の両枠部材の内壁面間の間隔の寸法と対応する間隔で取付用板体３０の内側面（額縁本体を取付ける側の面）の両側縁に沿わせて上下方向に向けて平行に対設したガイド用棒状体３１、３１を備える。両ガイド用棒状体３１は木製や合成樹脂製等の所望の太さの角部材で形成されている。
【００３３】
本実施形態の両ガイド用棒状体３１は取付用板体３０に接着等で固定して設けてある。この場合、両ガイド用棒状体３１は取付用板体と一体的に形成してもよい。
【００３４】
両ガイド用棒状体３１は、両ガイド用棒状体３１の対向する内壁面に、上下方向に向けて相対して形成し、展示物４の両側縁を係合して展示物を収容保持する上端を出入り口部として開口した展示物収容保持用係合溝３２、３２を備える。前記収容保持用係合溝３２により展示物４を出し入れ可能に収容する展示物収容部が形成されている。本実施形態では、前記保持用係合溝３２の下端部に設け、保持用係合溝に係合して収容した展示物の下端を支持するゴム製やスポンジ製等の支持部３３を備えている。これにより、展示物は保持用係合溝に出し入れ可能に安定して保持収容される。
【００３５】
また、両ガイド用棒状体３１は、両ガイド用棒状体の外壁面に突出させて設け、前記ガイド用係合溝１３及びロック用係合溝１４に係合可能な所望長さに形成され、ロック用係合溝１４の数と対応する本数のロック兼用のガイドピン３４、３４を備える。
【００３６】
前記額縁本体１は前記各ロック兼用のガイドピン３４をフレーム体１０の前記両ガイド用係合溝１３に係合させて取付ユニット３に、後述するように上下方向に所定の範囲内で移動可能に取付けてある。この場合において、額縁本体１は、各ロック兼用のガイドピン３４を両ガイド用係合溝１３に係合させた状態で組み立てて取付ユニットに取付けて額縁が製作されている。
【００３７】
上記構成により、各ロック兼用の各ガイドピン３４に両ガイド用係合溝１３を係合することにより、額縁本体１は、ガイド用係合溝１３の上端（溝１３の上縁）が上部側のロック兼用のガイドピン３４に当接する位置まで下方向へ移動可能になる。また、上記状態においてガイド用係合溝１３の下端（溝１３の下縁）が下部側のロック兼用のガイドピン３４に当接する位置まで上方向へ移動可能になる。このように、前記各ガイドピン３４を前記両ガイド溝１３に係合させることにより、額縁本体は取付ユニット３に対して上述した範囲内で上下方向に移動可能になる。
【００３８】
また、前記各ロック兼用のガイドピン３４に各ロック用係合溝１４を係合させることにより、額縁本体の上記した上下方向の移動はロックされ、各ガイドピンにより取付ユニットに支持されて取付けられる。なお、上記の場合において、両ガイド用係合溝の下端が下部側のロック兼用のガイドピンに当接する位置まで上方向へ移動した位置において、ロック用係合溝がガイドピンに係合可能になるように設定して構成されている。
【００３９】
上記の場合において、ガイド用係合溝及びロック用係合溝のロック兼用のガイドピンへの係合は、例えば次のように操作することにより行なう。
【００４０】
即ち、ロック用係合溝１４をロック兼用のガイドピンに係合（ロック）した状態において、額縁本体１を取付ユニット３に対して手前（前方）へ引き寄せることにより、ロック兼用のガイドピンのロック用係合溝との係合（ロック）は解除されてガイド用係合溝はガイドピンに係合される。また、上記状態において額縁本体を取付ユニット側へ押動（押し付ける）することにより、ロック用係合溝はガイドピンに係合される。上記作業は額縁を壁等に取付けた状態のままで簡単かつ良好に行なうことができる。
【００４１】
本実施形態の額縁に収容して展示する展示物４は、特に限定されないが、例えばレコード盤入りジャケット（ＬＰレコード盤を収容したジャケット）、絵画、写真、賞状その他の外形が略四角形状に形成され、かつ、両側縁部が前記展示物収容保持用係合溝３２に係合可能に形成された展示物である。本実施形態では展示物４の一例として、図１２に示すように、レコード盤４０をジャケット４１に収容したレコード盤入りジャケットを採用した例が開示されている。
【００４２】
本実施形態の額縁は、取付ユニット３の取付用板体３０を壁その他の所望の部位にビス（図示せず）その他の固定部材で固定して取付けて使用するように構成し、或いは取付ユニットの取付用板体をフック金具（図示せず）等で壁その他の所望の部位に着脱可能に取付けて使用するように構成されている。図３、図９及び図１１において、３５はネジ等の挿入孔、３６はフック金具等の係合孔を示す。
【００４３】
本実施形態の額縁は、ガイド用係合溝１３をロック兼用のガイドピン３４に係合し、額縁本体１を取付ユニットに対して下方向へ移動し、所望の展示物４の両側縁を展示物収容保持用係合溝の開口上端部から出し入れ可能に前記保持用係合溝に係合する。これにより、前記展示物は前記保持用係合溝に収容されて保持される。この状態で額縁本体を取付ユニットに対して上方向へ移動し、ロック用係合溝を前記ガイドピンに係合する。これにより、額縁本体はロックされ、各ガイドピンにより取付ユニットに支持されるので、展示物を収容して展示することができる。
【００４４】
上記により、額縁を壁等に取付けた状態のまま、展示物の収容及び交換作業を簡単かつ迅速良好に行なって展示することが可能になる。
【００４５】
なお、上記した各実施形態は一例として開示したもので、本考案は上記の実施形態に限定されるものではなく、実用新案登録請求の範囲に記載の技術思想を越脱しない範囲内において任意に変更可能なものである。
【符号の説明】
【００４６】
１        額縁本体
２        前面板
３        取付ユニット
４        展示物
１０      フレーム体
１０ａ…１０ｄ      枠部材
１１      開放部
１２      係合溝
１３      ガイド用係合溝
１４      ロック用係合溝
３０      取付用板体
３１      ガイド用棒状体
３２      展示物収容保持用係合溝
３３      支持部
３４      ロック兼用のガイドピン
【図１】
0003221895.tif 000003
【図２】
0003221895.tif 000004
【図３】
0003221895.tif 000005
【図４】
0003221895.tif 000006
【図５】
0003221895.tif 000007
【図６】
0003221895.tif 000008
【図７】
0003221895.tif 000009
【図８】
0003221895.tif 000010
【図９】
0003221895.tif 000011
【図１０】
0003221895.tif 000012
【図１１】
0003221895.tif 000013
【図１２】
0003221895.tif 000014
【手続補正書】
【提出日】平成31年4月19日(2019.4.19)
【手続補正１】
【補正対象書類名】実用新案登録請求の範囲
【補正対象項目名】請求項５
【補正方法】変更
【補正の内容】
【請求項５】
前記取付ユニットは、前記両展示物収容保持用係合溝の下端部に設け、前記両展示物収容保持用係合溝に係合して収容する前記展示物の下端を支持する支持部を備えている請求項１に記載の額縁。